(57)【要約】【課題】  印刷機から排紙された印刷紙の印刷品質を確認するサンプリングを安全且つ自動的に行い得るサンプリング紙取出し装置を提供する。【解決手段】  排紙装置２０により印刷機から連続的に排紙される印刷紙１０を紙積み台１２上に搬送する途上のサンプリング紙解放位置（Ｂ）において印刷紙１０をサンプリング紙１０ａとして排紙装置２０から離脱させ、サンプリング紙取出し装置１により紙積み台１２の下方に搬送し、サンプリング紙取出し位置（Ａ）となる紙受け板３上に取り出す。【選択図】  図１
2006327744.tif 000002
【特許請求の範囲】
【請求項１】
印刷機により印刷されて排紙された印刷紙を紙積み台に向けて連続的に搬送する排紙装置に対して実行されるサンプリング紙取出し制御指令に連動して搬送動作を開始し、前記サンプリング紙取出し制御指令により紙積み台に至る以前の所定位置に設けられたサンプリング紙解放位置において排紙装置から離脱した印刷紙を受け取り、所定のサンプリング紙取出し位置に搬送するサンプリング紙搬送手段が設けられてなることを特徴とするサンプリング紙取出し装置。
【請求項２】
サンプリング紙搬送手段は、所要距離間を周回移動するコンベア上にサンプリング紙を載せ、コンベアに設けられた突起部によりサンプリング紙の後端を押して搬送するように構成されてなる請求項１に記載のサンプリング紙取出し装置。
【請求項３】
サンプリング紙の取出し位置が、紙積み台の下方に設けられてなる請求項１又は２に記載のサンプリング紙取出し装置。
【請求項４】
サンプリング紙の取出し位置に、水平方向に搬送されてきたサンプリング紙を上向き方向に導く曲面を形成したフォーク状の紙受け板が設けられてなる請求項１〜３いずれか一項に記載のサンプリング紙取出し装置。
【発明の詳細な説明】
【技術分野】
【０００１】
本発明は、印刷機から排紙された印刷紙の印刷品質を確認するために、任意のタイミングで排紙搬送路から印刷紙を取り出すことができるようにしたサンプリング紙取出し装置に関するものである。
【背景技術】
【０００２】
印刷機から連続的に排紙される印刷紙は、その印刷状態を確認するために、所定間隔もしくは任意のタイミングで排紙されてきた印刷紙を抜き取るサンプリングが実行され、印刷汚れ、印刷濃度の変動、見当ずれ等の印刷品質について確認し、印刷状態に応じた印刷機の設定変更などの調整がなされる。
【０００３】
図４は、図外の枚葉印刷機から排紙された印刷紙を所定の紙積み台５２上に搬送する排紙装置の構成を示すものである。枚葉印刷機により印刷されて排紙された印刷紙１０は排紙装置５０によって連続的に搬送され、紙積み台５２の上に順次積み重ねられる。排紙装置５０は、印刷機と紙積み台５２との間を周回する排紙コンベア５１を構成する左右のエンドレスチェーンの間に架設されたグリップ棒にグリッパ５３が設けられ、グリッパ５３によって印刷紙１０の一端を把持して搬送する。前記グリッパ５３は要所に設けられた紙放しカム５４によって印刷紙１０の把持状態が解放されるように構成されており、印刷機から排紙された印刷紙１０を受け取る位置に設けられた紙放しカム５４によってグリッパ５３が解放された状態で印刷機から排紙された印刷紙１０を受け取り、紙放しカム５４から離れることにより印刷紙１０を把持した状態になって排紙コンベア５１の移動によって印刷紙１０を搬送する。紙積み台５２の上方にも紙放しカム５４が設けられており、排紙コンベア５１により印刷紙１０を把持して移動してきたグリッパ５３が紙放しカム５４に当接したとき、グリッパ５３は印刷紙１０の把持を解放するので、印刷紙１０は排紙コンベア５１から離脱して紙積み台５２上に載置される。紙積み台５２には昇降移動できるように紙当て５５が設けられており、グリッパ５３の把持解放により排紙コンベア５１から離脱した印刷紙１０が走行する排紙コンベア５１の走行慣性を受け、斜め方向に滑空して積層印刷紙１０ｂの最上部に落下する印刷紙１０を紙当て５５が受け止めるので、印刷紙１０は整列した状態に積層される。
【０００４】
紙積み台５２は排紙コンベア５１から離脱した印刷紙１０を一定の高さ位置で受け止めることができるように、その高さ位置が昇降制御される。即ち、紙積み台５２上には順次印刷紙１０が積み重ねられるので、印刷紙１０を受け取る最上面の高さ位置は所定高さの範囲に維持されるように昇降制御される。紙積み台５２は印刷開始初期では上昇位置にあって排紙コンベア５１から離脱した印刷紙１０を排紙コンベア５１の至近位置で板面上に受け止める。紙積み台５２は印刷紙１０の積層量の増加に対応して下降移動し、排紙コンベア５１から離脱した印刷紙１０の落下距離が一定になるようにしているので、印刷紙１０は一定位置に積層される。
【０００５】
サンプリングを行うときには、紙積み台５２の上に積層された積層印刷紙１０ｂの最上層から１枚の印刷紙１０をサンプリング紙として抜き出す。しかし、上述したように紙積み台５２は積層印刷紙１０ｂの最上部の排紙コンベア５１との離隔距離が一定になるように昇降移動するので、最上層の印刷紙１０は常に排紙コンベア５１の至近位置にあり、複数の棒状体で形成された紙当て５５の立設間を通して積層印刷紙１０ｂと排紙コンベア５１との間に手を差し入れてサンプリング紙を取り出そうとすると、手が排紙コンベア５１に触れて怪我を負うことがあり、サンプリングの安全性に欠ける課題があった。
【０００６】
上記サンプリング紙抜き出しの際の安全性を確保すべく、図５（ａ）に示すようなサンプリング紙を自動抜き取りする検紙抜取り装置が知られている（特許文献１参照）。この検紙抜取り装置にはサンプリング紙を取り出すために、紙積み台５２の周辺に紙受け装置６０、紙吸着保持装置６８、紙吸着保持装置６８の移動装置６１、空気吹出装置６３及びこれらを関連させて制御する制御装置が設けられ、更に、紙当て５５は回動制御できるように構成されている。
【０００７】
サンプリング紙を取り出すときには、図５（ｂ）に示すように、紙当て５５は垂直方向から水平方向に回動するように制御され、空気吹出装置６３から所定のタイミングで空気が吹き出すので、排紙コンベア５１から離脱した印刷紙１０は積層印刷紙１０ｂの上を滑って紙当て５５に止められることなく積層印刷紙１０ｂの上から下流側に突出して載置される。サンプリング紙１０ａに続いて順次搬送されてくる印刷紙１０を受け止めるために紙受け装置６０が設けられており、サンプリング紙１０ａを取り出すときにはシリンダ６５によってストッパ６６及び紙受けブレード６７を積層印刷紙１０ｂ上に進出移動させ、図５（ｃ）に示すように、ストッパ６６により印刷紙１０を受け止め、紙受けブレード６７で支持する。積層印刷紙１０ｂ上にサンプリング紙１０ａが落下したとき、移動装置６１により紙吸着保持装置６８を進出移動させ、サンプリング紙１０ａの先端部分を吸着保持する。図５（ｄ）に示すように、移動装置６１を後退移動させることにより、紙吸着保持装置６８が保持したサンプリング紙１０ａが抜き出される。サンプリング紙１０ａの取出しが完了すると、紙当て５５を元の位置に戻し、紙受け装置６０は図５（ａ）に示す位置に戻るので、紙受けブレード６７に受け止められていた印刷紙１０は積層印刷紙１０ｂ上に載置され、印刷機から排紙された印刷紙１０が積層印刷紙１０ｂ上に積み重ねられる動作が継続される。
【特許文献１】特開２００２−３８４０２１号公報
【発明の開示】
【発明が解決しようとする課題】
【０００８】
上記従来技術に係る検紙抜取り装置においては、サンプリング紙１０ａを取り出すために紙積み台５２の前後に複数の装置が配置され、それらを所定のタイミングで制御する複雑な構成及び制御を必要とする。従って、排紙装置のコストやその設置面積が徒に増加する課題がある。また、紙積み台５２は、その上に所定枚数の印刷紙１０が積層されたときには積層印刷紙１０ｂを外部に搬出し、新たに紙積み台５２をセットする作業が伴うので、紙積み台５２の前面や側面には余裕をもった空間を設けて作業に支障が生じないようにすることが望ましいが、上記従来構成では紙積み台５２の周囲、特に前面が装置の配置により塞がれてしまう課題があった。
【０００９】
本発明が目的とするところは、紙積み台の前面及び側面に作業の障害となる装置の配置をなくした簡易な構成によりサンプリング紙の取出しを安全に行い得るようにしたサンプリング紙取出し装置を提供することにある。
【課題を解決するための手段】
【００１０】
上記目的を達成するために本発明に係るサンプリング紙取出し装置は、印刷機により印刷されて排紙された印刷紙を紙積み台に向けて連続的に搬送する排紙装置に対して実行されるサンプリング紙取出し制御指令に連動して搬送動作を開始し、前記サンプリング紙取出し制御指令により排紙装置の紙積み台より上流側の所定位置に設けられたサンプリング紙解放位置において排紙装置から離脱した印刷紙を受取り、所定のサンプリング紙取出し位置に搬送するサンプリング紙搬送手段が設けられてなることを特徴とする。
【００１１】
上記構成によれば、排紙装置に対してサンプリング紙取出し制御指令がなされると、それに連動してサンプリング紙搬送手段が搬送動作を開始し、排紙装置に予め設定されたサンプリング紙解放位置から離脱したサンプリング紙を受け取って所定の取出し位置に搬送する。前記サンプリング紙解放位置は紙積み台より上流側に設定されるので、紙積み台の周辺にサンプリング紙を取り出すための装置を設ける必要がなく、単にサンプリングするための印刷紙を排紙装置から離脱させるだけでサンプリング紙搬送手段が所望の取出し位置に搬送する簡易な構成でサンプリングが可能となる。
【００１２】
上記構成において、サンプリング紙搬送手段は、所要距離間を周回移動するコンベア上にサンプリング紙を載せ、コンベアに設けられた突起部によりサンプリング紙の後端を押して搬送するように構成するのが好適で、排紙装置から離脱して落下するサンプリング紙をコンベア上に受け止め、コンベアに設けた突起部により押して搬送する簡易な搬送手段に構成することができる。
【００１３】
また、サンプリング紙の取出し位置は、紙積み台の下方に設けるのが好適であり、印刷機及び排紙装置を操作し、運転状態監視位置となる紙積み台の前方でサンプリングを取り出すことができる。
【００１４】
また、サンプリング紙の取出し位置に、水平方向に搬送されてきたサンプリング紙を上向き方向に導く曲面を形成したフォーク状の紙受け板を設けるのが好適で、床面近くを水平に搬送されてくるサンプリング紙は取出し位置で垂直方向に立ち上がった状態になるので、取出しが容易となる。また、フォーク状の紙受け板によってサンプリング紙が支持されているので、サンプリング紙を摘み出すことが容易である。
【発明の効果】
【００１５】
本発明によれば、所定枚数に積層された印刷紙の外部への搬出や印刷紙を積層する台座の入れ替えなどの作業、印刷機や排紙装置の操作などを行う紙積み台の周辺にサンプリング紙を取り出すための装置を設ける必要がなく、単にサンプリングするための印刷紙を排紙装置から離脱させるだけでサンプリング紙搬送手段が所望の取出し位置に搬送する簡易な構成でサンプリングが可能となり、サンプリング紙を安全に取り出すことができる。
【発明を実施するための最良の形態】
【００１６】
以下、添付図面を参照して本発明を具体化した実施形態について説明する。図１は、本実施形態に係るサンプリング紙取出し装置１の設置構成を示すもので、オフセット枚葉印刷機として構成された印刷機により印刷されて排紙される印刷紙１０を紙積み台１２に搬送する排紙装置２０に併設して、印刷紙１０の印刷品質を確認するために所要のタイミングで印刷紙１０をサンプリングするためのサンプリング紙取出し装置１が設けた具体例を示している。
【００１７】
図１において、図外の印刷機から連続的に排紙される印刷紙１０を紙積み台１２に搬送する排紙装置２０は、印刷機と紙積み台１２との間を周回駆動される左右一対のエンドレスチェーン１５のチェーン間に所定間隔で取り付けられたグリップ棒にグリッパ１６を設けて構成されている。前記グリッパ１６は印刷機から排紙された印刷紙１０を１枚ずつ把持するもので、排紙装置２０の所定位置に配設された紙放しカム１７が当接することによって印刷紙１０の把持を解放するように構成されたものである。本構成においては、前記紙放しカム１７は、印刷機の刷胴から排紙された印刷紙１０を排紙装置２０が受け取る位置（図示省略）と、排紙装置２０によって搬送されてきた印刷紙１０を紙積み台１２上に向けて離脱させる印刷紙積載位置（Ｃ）と、サンプリングを行う際に前記印刷紙積載位置（Ｃ）より上流側で排紙装置２０から印刷紙１０を離脱させるサンプリング紙解放位置（Ｂ）とに設けられ、サンプリング紙解放位置（Ｂ）の紙放しカム１７は、常時はエンドレスチェーン１５によって移動してくるグリッパ１６に当接しない待機位置にあり、サンプリング紙を取り出す操作がなされたときにグリッパ１６に当接する解放位置に移動するように配設されている。
【００１８】
印刷機の運転開始に伴って排紙装置２０も運転を開始し、図示しない駆動装置によってエンドレスチェーン１５が走行開始する。エンドレスチェーン１５の走行により印刷機の刷胴付近に移動したグリッパ１６は紙放しカム１７によって把持状態が解放され、刷胴から排紙された印刷紙１０を受け取り、紙放しカム１７から離れることにより把持状態となるので印刷紙１０を把持し、エンドレスチェーン１５の走行により印刷紙１０を搬送する。印刷紙１０を把持したグリッパ１６が紙積み台１２の上方にある印刷紙積載位置（Ｃ）に移動してきて紙放しカム１７に当接すると、グリッパ１６による印刷紙１０の把持状態が解放されるので、印刷紙１０は排紙装置２０から離脱して紙積み台１２上に落下する。
【００１９】
紙積み台１２は昇降移動できるように構成され、印刷開始当初では紙置き板１４が印刷紙積載位置（Ｃ）を走行するエンドレスチェーン１５から所定距離だけ離隔した上昇位置にあり、印刷紙１０が次々と積層されて積層印刷紙１０ｂの高さが増加するのに応じて下降し、積層印刷紙１０ｂの最上部が常に略一定の高さ位置にあるように昇降動作する。グリッパ１６が把持する印刷紙１０は、紙積み台１２の直上位置より上流側で把持状態から解放され、印刷紙１０はエンドレスチェーン１５の走行方向への走行慣性と重力とによって斜め方向に滑空するように落下し、紙積み台１２に設けられた紙受け１１に先端が当たることにより端位置が揃えられた状態に積層される。前記紙受け１１は、紙積み台１２の昇降移動に連動して昇降移動し、その先端部分は常に積層印刷紙１０ｂの最上部より上に突出して落下してくる印刷紙１０の先端を受け止めるように作用する。
【００２０】
前記エンドレスチェーン１５の折返し位置となる紙積み台１２の上方には印刷紙１０の搬送を操作する操作盤１３が設けられており、所定量の印刷紙１０が積層された紙置き板１４を外部に搬出する際に印刷紙１０の搬送を操作する制御や任意のタイミングでサンプリング紙１０ａを取り出す操作などを実行することができる。前記紙置き板１４はローラ１８上に載置されており、図上の手前側又は奥側に紙置き板１４を移動させて搬出し、新たな紙置き板１４に入れ替えることが容易に実施できる。
【００２１】
印刷機の運転開始と共に排紙された印刷紙１０の印刷品質を確認するために任意のタイミングで印刷紙１０をサンプリングし、印刷汚れの有無や印刷濃度の変動、見当ずれ等がチェックされる。本構成においては、印刷紙１０のサンプリングは排紙装置２０により印刷機から紙積み台１２に搬送される途上にある印刷紙１０をサンプリング紙１０ａとして自動的にサンプリング紙取出し位置（Ａ）に取り出すことができる。
【００２２】
操作盤１３からサンプリング紙取出しの制御指令が入力されると、サンプリング紙解放位置（Ｂ）に配置された紙放しカム１７がエンドレスチェーン１５の走行により移動してくるグリッパ１６に当接する位置に移動制御され、サンプリング紙取出し装置１はチェーンベルト２（サンプリング紙搬送手段）の走行を開始する。サンプリング紙解放位置（Ｂ）に移動してきたグリッパ１６が紙放しカム１７に当接すると、グリッパ１６による印刷紙１０の把持状態が解放されるので、その印刷紙１０はサンプリング紙１０ａとして排紙装置２０から離脱し、エンドレスチェーン１５の走行による慣性と重力とにより斜め方向に滑空するように落下し、サンプリング紙取出し装置１のチェーンベルト２上に載置される。後述するようにチェーンベルト２の所定箇所には搬送突起４が設けられており、チェーンベルト２の周回移動によりサンプリング紙１０ａに当接した搬送突起４はサンプリング紙１０ａの後端を押して搬送するので、サンプリング紙１０ａはサンプリング紙取出し位置（Ａ）に向けて水平方向に運ばれ、サンプリング紙取出し位置（Ａ）に設けられた紙受け板３の湾曲形状により垂直方向寄りに立ち上がった状態に送り出される。
【００２３】
操作盤１３からのサンプリング紙取出しの制御指令によりグリッパ１６に当接する位置に移動した紙放しカム１７は、その時点で印刷紙１０を把持したグリッパ１６に当接して印刷紙１０をサンプリング紙１０ａとして解放した後、速やかにグリッパ１６に当接しない待機位置に移動するので、サンプリング紙１０ａを離脱させた後に搬送されてくる印刷紙１０はサンプリング紙解放位置（Ｂ）で解放されることなく通過する。
【００２４】
図２は、サンプリング紙取出し装置１の構成を平面図（ａ）、側面図（ｂ）として示すものである。サンプリング紙取出し装置１は、搬送台６上に３列に配設されたチェーンベルト２をモータ５によって周回駆動することにより、排紙装置２０のサンプリング紙解放位置（Ｂ）から離脱したサンプリング紙１０ａを受け取り、チェーンベルト２上に載せてサンプリング紙取出し位置（Ａ）にある紙受け板３上に搬送するように構成されている。
【００２５】
前記搬送台６は、両側面の支持板７、７の間を複数（ここでは３本）の支持軸８で一体に連結し、支持板７，７の間は３列のチェーンベルト２を走行させる溝を隔てて４枚の表面板９が固定されている。前記表面板９は装置の軽量化を図るため、パンチングメタル又はメッシュメタルで形成されている。各表面板９のサンプリング紙取出し位置（Ａ）側には鋼板を弧状に湾曲形成した紙受け板３が固定されている。尚、両側面の支持板７，７の外側には、異物との衝突など何らかの走行障害によりサンプリング紙１０ａが外に飛び出すことを防ぐために保護板２５が設けられているが、支持板７，７の高さ寸法を増加させることによっても同様の効果が得られる。
【００２６】
前記支持板７，７の両端部には駆動回転軸２１と、従動回転軸２２とがそれぞれ軸支され、駆動回転軸２１は一方の支持板７に取り付けられたモータ５の回転駆動力が減速装置２３を介して伝達される。駆動回転軸２１及び従動回転軸２２にはそれぞれ３列のチェーンベルト２に係合するチェーンホイール２４が固定され、３列のチェーンベルト２はそれぞれ駆動回転軸２１のチェーンホイール２４と従動回転軸２２のチェーンホイール２４との間に架け渡される。この構成により、モータ５により駆動回転軸２１が回転駆動されると、３列のチェーンベルト２は同調駆動され、表面板９の上面側では従動回転軸２２側から駆動回転軸２１側へと走行するので、３列のチェーンベルト２上に載置されたサンプリング紙１０ａは紙受け板３に向けて搬送される。
【００２７】
前記チェーンベルト２は、図３に示すように、ここでは樹脂製のコマ２８をリンクプレート２９によりエンドレスに連結したプラスチックチェーンを適用しており、２箇所のリンクプレート２９に樹脂製の搬送突起（突起部）４が取り付けられている。前記搬送突起４は、図２（ｂ）に示すように、チェーンベルト２の等距離位置の２箇所に第１の搬送突起４ａ及び第２の搬送突起４ｂとして設けられており、３列のチェーンベルト２それぞれの同一位置に設けられている。モータ５による駆動回転軸２１の回転駆動よりチェーンベルト２の走行が開始されると、図示するチェーンベルト２の下側に位置していた第２の搬送突起４ｂは従動回転軸２２に固定されたチェーンホイール２４を経て上側に移動し、図２（ａ）に仮想線で示す位置に排紙装置２０から落下したサンプリング紙１０ａの後端に当接し、チェーンベルト２の走行に伴ってサンプリング紙１０ａを押して搬送する。この第１及び第２の各搬送突起４ａ，４ｂが設けられていることにより、サンプリング紙１０ａの端が両側面の支持板７に接触した状態にあっても、あるいはサンプリング紙１０ａが板紙やダンボールなどの重い材質のものであっても円滑に搬送することが可能になる。
【００２８】
モータ５によるチェーンベルト２の走行駆動は、図２（ｂ）に示すように、第１の搬送突起４ａ、第２の搬送突起４ｂのいずれか一方が駆動回転軸２１側の上方にあり、第１の搬送突起４ａ、第２の搬送突起４ｂのいずれか他方が従動回転軸２２側の下方にある状態を始動位置とし、第１の搬送突起４ａと第２の搬送突起４ｂの位置が入れ替わる位置を停止位置として、その走行距離に相当する時間だけモータ５により搬送動作がなされる。従って、サンプリング紙１０ａが図２（ａ）に示す仮想線位置から第２の搬送突起４ｂによって押し出され、第２の搬送突起４ｂが始動開始時に第１の搬送突起４ａがあった位置に移動することにより、サンプリング紙１０ａは紙受け板３上に搬送されていることになる。
【００２９】
前記紙受け板３は、４本の細幅板を湾曲形状に形成してフォーク状にしたもので、チェーンベルト２によって水平方向に搬送されてきたサンプリング紙１０ａが紙受け板３上に押し出されることにより、サンプリング紙１０ａは垂直方向寄りに立ち上がった状態にサンプリング紙取出し位置（Ａ）に取り出されることになり、サンプリング紙取出し装置１を床面近くに設置しても腰を屈める度合いを少なくしてサンプリング紙１０ａをとりだすことができる。また、紙受け板３がフォーク状に形成されていることから、サンプリング紙１０ａを摘み出す行動を容易に行うことができる。
【００３０】
上記構成になるサンプリング紙取出し装置１は、図１に示すように、サンプリング紙取出し位置（Ａ）が紙積み台１２の下方に位置するように配設することができ、印刷機及び排紙装置２０が設置された限られた室内空間であっても、立体的な配置によりサンプリング紙取出しを安全且つ自動的に行うことが可能となる。
【００３１】
尚、サンプリング紙取出し装置１の設置方向は、図１に示すように、サンプリング紙取出しの制御指令を入力する操作盤１３の操作位置に近い場所にサンプリング紙取出し位置（Ａ）が位置するように設定すると、サンプリング紙取出しの制御入力を行った後に移動することなく引き続いてサンプリング紙１０ａを取出すことができるので好適であるが、操作盤１３の設置位置や印刷機が設置された室内空間の状況に応じて任意の方向に向けて設置することも可能である。例えば、排紙装置２０の搬送方向と直交する側面側にサンプリング紙１０ａを取り出すようにサンプリング紙取出し装置１を設置することもできる。
【００３２】
以上説明した実施形態による印刷紙１０の印刷機から紙積み台１２への搬送方法は、グリッパ１６により印刷紙１０を把持する方法を適用した例を示しているが、印刷紙１０の搬送方法はこれに限定されるものではなく、印刷機から紙積み台１２に搬送する途上の所定のサンプリング紙解放位置（Ｂ）で印刷紙１０を排紙装置２０から任意に離脱させ得る構造のものであれば搬送方法は自由に選択することができる。
【産業上の利用可能性】
【００３３】
以上の説明の通り本発明に係るサンプリング紙取出し装置によれば、印刷の途中で何度も実行されるサンプリング紙の取出しを安全且つ自動的に行い得るので、作業安全性が高く作業効率のよい印刷業務を構築することができる。また、サンプリング紙取出し装置を設置するために、紙積み台に周囲に装置構成を配置することなく、紙積み台の下に立体的に配置することができるので、限られた室内空間であってもサンプリング紙取出し装置の設置が可能となる。
【図面の簡単な説明】
【００３４】
【図１】実施形態に係るサンプリング紙取出し装置の設置構成を示す模式図。
【図２】実施形態に係るサンプリング紙取出し装置の構成を示す（ａ）は平面図、（ｂ）は断面図。
【図３】チェーンベルトに設けられた突出アングルの構成を示す部分斜視図。
【図４】従来のサンプリング紙取出し方法を説明する紙積み台付近の構成を示す模式図。
【図５】従来技術に係るサンプリング紙取出し装置の構成とその動作を順を追って説明する模式図。
【符号の説明】
【００３５】
１  サンプリング紙取出し装置
２  チェーンベルト（サンプリング紙搬送手段）
３  紙受け板
４，４ａ，４ｂ  搬送突起（突出部）
５  モータ
１０  印刷紙
１０ａ  サンプリング紙
１０ｂ  積層印刷紙
１２  紙積み台
１３  操作盤
１５  エンドレスチェーン
１６  グリッパ
１７  紙放しカム
２０  排紙装置
Ａ  サンプリング紙取出し位置
Ｂ  サンプリング紙解放位置
Ｃ  印刷紙積載位置
【図１】
2006327744.tif 000003
【図２】
2006327744.tif 000004
【図３】
2006327744.tif 000005
【図４】
2006327744.tif 000006
【図５】
2006327744.tif 000007